(57)【要約】【課題】  ベッドから体を移動さす事が非常に困難な人でも、ベッドから移動せず上半身起き上がっただけで、ベッドの床マットから両足を下へ降ろして、椅子に座っているような状態で本やテレビをみたり食事をしたり出来るようにする。しかもベッドに寝たまま、人に排尿排便を採ってもらうのではなく、ベッドから移動することなく上半身起き上がっただけで洋式トイレの便座に座ってするように自分で排尿排便が出来るようにする。【解決手段】  ベッドの床マット３の一部分４を取り外せるようにしてベッドに寝た状態から上半身起こしただけでその取り外した空間に両足を降ろして椅子に座っているような状態でベッドに座れるようにした。また、ベッドの床マット３の一部分４を取り外してできた空間に両足を降ろして座り、お尻の下の５を取り外してできた空間に排尿排便を受け入れる便座状のつば１２が付いた容器１１をはめこみ設置しそこにお尻をのせて座れば排尿排便ができるようにした。【選択図】  図１
2005224550.tif 000002
【特許請求の範囲】
【請求項１】
ベッド本体の土台骨組みを分割移動する事なく、ベッドの床マットの一部分を取り外したり装着したり出来るようにし、その取り外した所に出来た空間に両足を垂直に下へ降して、椅子に座っているような状態で床マットに座ることが出来るようにしたベッド。
【請求項２】
ベッド本体の土台骨組みを分割移動する事なく、ベッドの床マットの一部分を取り外したり装着したり出来るようにし、その取り外した所に出来た空間を利用して、両足を垂直に下へ降ろして座り、排尿排便受け容器を設置すればそのまま洋式トイレでするような状態で排尿排便が出来るようにしたベッド。
【請求項３】
ベッドの床マットの一部分を取り外してそこに出来た空間を利用して排尿排便を受け入れるために設置する容器で、その容器の入り口の周りに便座状のつばが付いた排尿排便受け容器。
【発明の詳細な説明】
【技術分野】
【０００１】    本発明はベッド本体の土台骨組みを分割移動する事なく、ベッドに寝た状態から上半身を起し、両足をベッドの床マットに対して垂直に下へ降ろせるよう床マットに空間を作るため、ベッドの床マットの一部分を脱着出来るようにしたベッドである。また本発明はベッドの床マットに対して垂直に下へ足を降ろしてベッドに便座状のつばが付いた排尿排便受け容器を設置すればそこに座って排尿排便が出来るようにもしたベッドである。
【背景技術】
【０００２】    従来のベッドはベッド本体の土台骨組みを分割移動することなく、ベッドに寝た状態から上半身を起こしても、両足を床マットに対して垂直に下へ降ろして椅子に座ったような状態でベッドの床マットに座る事は出来なかった。ましてやベッドに寝た状態から上半身を起こしただけで、両足を垂直に降ろして洋式トイレの便座に座ったような状態でベッドに座り排尿排便などをする事はとても出来なかった。
【発明の開示】
【発明が解決しようとする課題】
【０００３】      体を移動さすことが非常に困難な人などが、ベッドに寝ている状態から椅子に座ったような状態になりたい時、上半身はそのまま床マットから起き上がって座っても、両足は椅子に座ったのと同じように座面に対して垂直に下へ降ろした状態には出来ず、そのままベッドの床マットの上にあぐらをかくか水平に伸ばして座る事しか出来なかった。そのため上半身を起こして両足を垂直に下へ降ろして座り、さながら椅子に座っているような状態になって本を読んだりテレビを見たり食事をしたりする事は出来なかったし、両足を寝ているときの状態から変えて、足の疲れを癒すこともできなかった。また、体をベッドから移動する事が非常に困難な人たちでも、ベッドに寝たままの状態で尿や便を人に取ってもらうのではなく、ベッドから起き上がるだけであまり動くことなく洋式トイレの便座に座ったような状態で自分で排尿排便がしたくてもそれが出来なかった。
【課題を解決するための手段】
【０００４】      ベッド本体の土台骨組み１をを分割移動する事なく、ベッドの床マット３を切り抜き４と５を作る。そしてそれを取り外したり装着したり出来るようにした。そしてベッドの上で寝ている状態から上半身を起こしてひざの下あたりにある床マットの一部分４を取り外す。そしてそこにできた空間に両足を垂直に下へ降ろして床マットに座れば椅子に座ったような状態になれる。また、洋式トイレの便座に座ったような状態で排尿や排便をしたい時は、寝ている状態から上半身を起こしてひざの下あたりにある床マットの一部分４を取り外しその空間に両足を降ろして床マットに座ったあと、お尻を浮かしてお尻の下にある床マットの一部分５を取り外してそこにできたお尻の下の空間に排尿排便を受け入れる便座状のつば１２が付いた容器１１をはめこんで設置しそこに座れば、洋式トイレの便座に座って排尿排便するのと同じ状態で自分で排尿排便が出来るようにした。
【発明の効果】
【０００５】      体を移動さすのが非常に困難な人たちでもベッドに寝ている状態から、なるべく体を動かすことなく上半身を起こし床マットの一部分４を取り外すだけで、椅子に座ったように両足を垂直に下へ降ろした状態でベッドの床マットに座る事が出来る。またそのような状態で座ってリクライニング式ベッドの背もたれを利用したりベッド用のテーブルなどを利用すればゆっくりくつろいで本を読んだりテレビを見たり食事をしたり出来る。したがって足をベッドの上にあぐらをかくか水平に伸ばして座る事しか出来なかったベッドより非常に快適な状態で座って長時間過ごす事が出来る。またベッドから移動してトイレにいくのが非常に困難な人でもベッドから上半身起き上がって、ベッドの床マットの一部分４と５をそれぞれ取り外し両足を下へ降ろし、排尿排便を受け入れる便座状のつば１２が付いた容器１１を設置すれば洋式トイレの便座に座ったような状態で快適に自分で排尿排便が出来るようになる。
【発明を実施するための最良の形態】
【０００６】      本発明は、ベッドに寝ていて体を移動さすのが困難な人などが、ほとんどベッドから移動する事なくそのまま椅子に座ったような状態で両足をベッドから垂直に下へ降ろして本を読んだりテレビを見たり食事をしたり出来るようにした。そしてさらにベッドに座ったまま両足を垂直に下へ降ろして洋式トイレの便座に座ったような状態で排尿排便が出来るようにしたベッドである。それを図面について説明すれば、べッド本体の土台骨組み１を分割移動する事なく、ベッドの床マット３の一部分を切り抜き、両足を降ろすために取り外す床マット４と排尿排便をするために取り外す床マット５を作り、それぞれが脱着出来るようにした。また、その床マットの一部分４と５が簡単に取り外したり装着したりすることが出来、しかも装着時ベッド本体の土台骨組み１から抜け落ちる事がないようにベッドの土台骨組み１に４と５のそれぞれを受け止めるための骨組み兼受金具９、１０と６、７、８を取り付けた。そしてベッドの床マットの一部分５を取り外した所に出来た空間に容器の入り口の周りに便座状のつば１２が付いた容器１１をはめこみ設置しそこに座れば排尿排便が出来るようにしたのである。
【図面の簡単な説明】
【０００７】
【図１】      本発明の実施例を示す平面図である。［図３］を省くすべての図は向かって左側に頭部、右側に足部を置いて寝ると仮定して作製した図である。
【図２】      本発明の実施例を示す横側面図である。
【図３】      本発明の実施例を示す縦側面図である。
【図４】      図１のＡ−Ｂの断面図である。
【図５】      ベッドの土台骨組みの平面図である。
【図６】      ベッドの土台骨組みに本発明ベッドの床マットをのせた状態のベッドの平面図である。
【図７】      図６の状態のベッドから脱着できる床マットを取り外した時のベッドの平面図である。
【符号の説明】
【０００８】  １  ベッド本体の土台骨組み
２  ベッド本体の土台骨組みを支える足兼ガード
３  ベッドの床マット
４  両足を下に降ろすために取り外す床マットの一部分
５  排尿排便受け容器を設置するために取り外す床マットの一部分
６  ５を受け止めるための骨組み兼受け金具
７  ５を受け止めるための骨組み兼受け金具
８  ５を受け止めるための骨組み兼受け金具
９  ４と５の両方を受け止めるための骨組み兼受け金具
１０  ４を受け止めるための骨組み兼受け金具
１１  排尿排便を受け入れる容器
１２  １１の容器の入り口の周りに付けた便座状のつば
【図１】
2005224550.tif 000003
【図２】
2005224550.tif 000004
【図３】
2005224550.tif 000005
【図４】
2005224550.tif 000006
【図５】
2005224550.tif 000007
【図６】
2005224550.tif 000008
【図７】
2005224550.tif 000009